(57)【要約】【課題】施工が容易で、高い水密性・気密性を備える建物開口部の防水構造及びその施工方法を提供すること。【解決手段】建物の外壁３に形成されて窓枠４が配置される建物開口部の防水構造である。外壁３は、新設外装材３０と、新設外装材３０の屋内面側に設けられた防水シート７１とを備える。窓枠４と新設外装材３０との間を塞ぐ湿式シーリング材６７、バックアップ材６６と、防水シート７１に連続して設けられて窓枠４に貼り付けられた気密防水シート７２とを備える。【選択図】図１
2018031186.tif 000002
【特許請求の範囲】
【請求項１】
建物の外壁に形成されて窓枠が配置される建物開口部の防水構造であって、
前記外壁は、外装材と、前記外装材の屋内面側に設けられた防水層とを備え、
前記窓枠と前記外装材との間を塞ぐ屋外側シール材と、
前記防水層に連続して設けられて前記窓枠に貼り付けられた気密防水シートとを備える
ことを特徴とする建物開口部の防水構造。
【請求項２】
請求項１に記載の建物開口部の防水構造において、
前記気密防水シートは、前記窓枠の外周側から屋内端縁を介して前記窓枠の内周側に折り返されて前記窓枠に貼り付けられている
ことを特徴とする建物開口部の防水構造。
【請求項３】
請求項１または請求項２に記載の建物開口部の防水構造において、
前記建物開口部は、既設枠の内周面で形成され、
前記窓枠は、既設枠の内周側に配置された新設枠であり、
前記外装材は、既設外壁の屋外側に配置された新設外装材であり、
前記既設外壁と前記新設外装材との間には防水シートで構成された防水層が設けられ、
前記気密防水シートは、前記防水シートの一部、または、前記防水シートに連続する別体の気密防水シートで構成されている
ことを特徴とする建物開口部の防水構造。
【請求項４】
請求項１から請求項３のいずれか一項に記載の建物開口部の防水構造において、
前記気密防水シートは、可撓性を有することを特徴とする建物開口部の防水構造。
【請求項５】
請求項１から請求項４のいずれか一項に記載の建物開口部の防水構造において、
前記気密防水シートは、水により膨潤する特性を有することを特徴とする建物開口部の防水構造。
【請求項６】
建物の外壁に形成されて窓枠が配置される建物開口部の防水構造の施工方法であって、
前記外壁を構成する外装材の屋内面側に防水層を設ける工程と、
前記建物開口部の周囲において、前記防水層に連続する気密防水シートの屋外側端部を貼り付ける工程と、
前記気密防水シートを前記建物開口部の内周面に沿って配置する工程と、
前記建物開口部内に前記窓枠を配置する工程と、
前記窓枠の屋内側の部位に、前記気密防水シートの屋内側端部を貼り付ける工程と、
を有することを特徴とする建物開口部の防水構造の施工方法。
【発明の詳細な説明】
【技術分野】
【０００１】
本発明は、窓サッシが組み込まれる建物開口部の防水構造及びその施工方法に関する。
【背景技術】
【０００２】
外壁に設けられた建物開口部に新設の窓枠を組み込んだ場合、外装材と窓枠との間に湿式のシーリング材を充填してシールすることが一般的である。
また、既設枠の内周面に、リフォーム用枠体を設置する場合もあり（例えば特許文献１参照）、この特許文献１のリフォーム用枠体には、パッキン材が取り付けられており、このパッキン材を既設枠に密着させてシールしている。
【先行技術文献】
【特許文献】
【０００３】
【特許文献１】特許第５３９４２０５号公報
【発明の概要】
【発明が解決しようとする課題】
【０００４】
しかしながら、前記新設またはリフォームのいずれの窓枠においても、シーリング材やパッキン材が破損・劣化した場合などに水密性・気密性が低下するという課題があった。
【０００５】
本発明の目的は、施工が容易で、高い水密性・気密性を備える建物開口部の防水構造及びその施工方法を提供することにある。
【課題を解決するための手段】
【０００６】
本発明は、建物の外壁に形成されて窓枠が配置される建物開口部の防水構造であって、前記外壁は、外装材と、前記外装材の屋内面側に設けられた防水層とを備え、前記窓枠と前記外装材との間を塞ぐ屋外側シール材と、前記防水層に連続して設けられて前記窓枠に貼り付けられた気密防水シートとを備えることを特徴とする。
【０００７】
本発明によれば、窓枠と外装材との間を塞ぐ屋外側シール材を一次シールとし、防水層および窓枠間を塞ぐ気密防水シートを二次シールとすることができるため、屋外側シール材が破損・劣化した場合でも、防水層および防水層に連続する気密防水シートにより、外装材の屋内面側において窓枠まで連続する防水ラインを維持できる。このため、防水ライの屋内側に水が浸入することを防止でき、一次シールのみが設けられている場合や、防水層と気密防水シートとが連続していない場合に比べて、水密性および気密性を向上できる。
また、防水層に連続して設けられる気密防水シートは、窓枠に両面テープなどで貼り付けることができるので、施工作業が容易である。
さらに、一次シールとなる屋外側シールと、二次シールとなる防水層および防水気密シールとを設けているので、外装材と、防水層や気密防水シート間とを、外気と等圧な空間にでき、圧力差による雨水の浸入を防止でき、水密性および気密性を向上できる。
【０００８】
本発明の建物開口部の防水構造において、前記気密防水シートは、前記窓枠の外周側から屋内端縁を介して前記窓枠の内周側に折り返されて前記窓枠に貼り付けられていることが好ましい。
【０００９】
本発明によれば、気密防水シートを窓枠の外周面から窓枠の屋内端縁を介して窓枠の内周側に折り返して窓枠内周面に貼り付けているので、気密防水シートを窓枠の屋内側に連続するように貼り付けることができる。
このため、気密防水シートを窓枠に貼り付ける作業は、窓枠の内周面側から、つまり窓枠の開口側から行うことができ、容易に作業することができる。また、気密防水シートが窓枠の内周側に露出するため、窓枠を交換する場合には、気密防水シートの露出部分を切断することで気密防水シートと窓枠とを分離して窓枠を取り外すことができる。さらに、窓枠を取り外した後は、防水層に連続する気密防水シートが残されているので、新たな気密防水シートを連結し、新たな窓枠を配置して窓枠の内周面に貼り付けることで、窓交換時の防水ラインの復旧を容易に行うことができる。
【００１０】
本発明の建物開口部の防水構造において、前記建物開口部は、既設枠の内周面で形成され、前記窓枠は、既設枠の内周側に配置された新設枠であり、前記外装材は、既設外壁の屋外側に配置された新設外装材であり、前記既設外壁と前記新設外装材との間には防水シートで構成された防水層が設けられ、前記気密防水シートは、前記防水シートの一部、または、前記防水シートに連続する別体の気密防水シートで構成されていることが好ましい。
【００１１】
本発明によれば、既設外壁の屋外側に防水シートを配置して防水層を形成し、この防水シートの屋外側に新設外装材を配置し、既設枠の開口内周側に新設枠を配置し、前記防水シートの一部または別体の気密防水シートを新設枠に貼り付けているので、外壁、窓および防水ラインの改装を容易に行うことができる。
【００１２】
本発明の建物開口部の防水構造において、前記気密防水シートは、可撓性を有することが好ましい。
【００１３】
本発明によれば、気密防水シートを屈曲させて設けることができるので、様々な形状の窓枠に対しても、その形状に合わせて気密防水シートを折り曲げて窓枠に確実に貼り付けることができ、防水層から窓枠までの水密性・気密性を容易に確保できる。
【００１４】
本発明の建物開口部の防水構造において、前記気密防水シートは、水により膨潤する特性を有することが好ましい。
【００１５】
本発明によれば、気密防水シートを介してネジをねじ込むことで形成された穴や、気密防水シートが損傷した場合の損傷部分に、水が浸入した場合でも、気密防水シートが膨潤することにより、水が気密防水シートを超えて窓枠の屋内側に浸入することを抑制でき、より高い防水性能を備えることができる。
【００１６】
本発明は、建物の外壁に形成されて窓枠が配置される建物開口部の防水構造の施工方法であって、前記外壁を構成する外装材の屋内面側に防水層を設ける工程と、前記建物開口部の周囲において、前記防水層に連続する気密防水シートの屋外側端部を貼り付ける工程と、前記気密防水シートを前記建物開口部の内周面に沿って配置する工程と、前記建物開口部内に前記窓枠を配置する工程と、前記窓枠の屋内側の部位に、前記気密防水シートの屋内側端部を貼り付ける工程と、を有することを特徴とする。
【００１７】
本発明によれば、外装材の屋内面側に設けた防水層に連続する気密防水シートを、建物開口部の周囲と、窓枠の屋内側の部位とに貼り付けることで、防水層から窓枠まで防水ラインを容易に構成でき、水密性・気密性を容易に確保できる。また、防水層を設けてから窓枠を配置して気密防水シートを窓枠に貼り付けて、防水層から窓枠までの防水ラインを形成するまでの間に、湿式のシーリング材を用いていないので、現場での施工時間を短くすることができる。
【発明の効果】
【００１８】
本発明によれば、施工が容易で、高い水密性・気密性を備える建物開口部の防水構造及びその施工方法を提供することができる。
【図面の簡単な説明】
【００１９】
【図１】本発明の第１実施形態の建物開口部の防水構造を示す縦断面図。
【図２】第１実施形態の建物開口部の防水構造を示す横断面図。
【図３】第１実施形態の建物開口部の防水構造の要部を示す斜視図。
【図４】本発明の第２実施形態の建物開口部の防水構造を示す縦断面図。
【図５】本発明の第３実施形態の建物開口部の防水構造を示す縦断面図。
【発明を実施するための形態】
【００２０】
［第１実施形態］
以下、本発明の第１実施形態を図面に基づいて説明する。
本実施形態は、図１〜３に示すように、建物の既設外壁１および既設枠２を残し、新設外壁３、新設枠４、新設障子５を新たに取り付けて改装した建物開口部の防水構造である。
なお、以下の説明において、既設枠２および新設枠４を屋内側から見た際に、上下（垂直）となる方向を上下方向、左右となる方向を左右方向、屋内外方向を見込み方向として説明する。また、既設枠２および新設枠４は矩形状に枠組みされており、枠の内周側に面した面を内周面、外周側に面した面を外周面として説明する。
また、既設枠２、新設枠４、新設障子５の枠材や框材、ガラス等の断面図では、図面を見やすくするためにハッチングを省略している。
【００２１】
建物は、既設外壁１や既設枠２を支持する躯体１０を備える。躯体１０は、例えば、適宜間隔で配置された柱や間柱と、柱や間柱間に掛け渡されて窓開口を区画する窓台、まぐさ等を備える。
【００２２】
［既設外壁および既設枠］
躯体１０には、既設外壁１と、既設枠２とが固定されている。
既設枠２は、既設上枠２１と、既設下枠２２と、左右の既設縦枠２３、２４とを枠組みして構成されている。各枠２１，２２，２３，２４の断面形状は、既設窓の種類によって異なり、本実施形態の既設枠２は、引違い窓用である。
【００２３】
これらの各枠２１，２２，２３，２４は、躯体の屋外面に当接する釘ヒレ２１Ａ，２２Ａ，２３Ａ，２４Ａを備えており、この釘ヒレ２１Ａ，２２Ａ，２３Ａ，２４Ａから躯体に釘を打ち込むことで、既設枠２は躯体１０に取り付けられている。
既設枠２の屋内側には、既設額縁２６が窓開口の内周面に沿って取り付けられている。既設額縁２６は、躯体１０の屋内側を覆う内装材２７の端面が当接されている。
既設枠２の外周面には、既設外壁１が配置され、既設外壁１の端面と既設枠２とは、シーリング材２８で塞がれて防水処理されている。
【００２４】
［新設外壁］
既設外壁１の屋外側には、新設外壁３が改装によって設けられている。新設外壁３は、既設外壁１の屋外側に配置された新設断熱材３１と、新設断熱材３１の屋外側に配置された胴縁（本実施形態では縦胴縁）３２と、胴縁３２の屋外側に配置された新設外装材３０とを備えている。
新設断熱材３１は、ポリスチレン樹脂やフェノール樹脂等を発泡させた断熱材など、外張り断熱工法で用いられる一般的な断熱材である。
新設外装材３０は、窯業系、コンクリート系、ＡＬＣ（軽量気泡コンクリート）系、金属系などの様々な材質で構成される外装材である。
【００２５】
［新設窓］
既設枠２の開口内周面には新設窓が取り付けられている。本実施形態の新設窓は、ＦＩＸ窓と、縦すべり出し窓との連窓である。新設窓は、新設枠４および新設障子５を備える。
新設枠４は、新設上枠４１、新設下枠４２、新設縦枠４３、４４、縦骨（中骨）４５を備えている。
ＦＩＸ窓は、新設上枠４１と、新設下枠４２と、新設縦枠４４と、縦骨４５とを枠組みして構成される窓枠内に、トリプルガラス４７からなる面材を組み込むことで構成される。トリプルガラス４７は、各枠４１、４２、４４、縦骨４５と、これらに取り付けられた押縁４６とで保持されている。
【００２６】
縦すべり出し窓は、新設上枠４１と、新設下枠４２と、新設縦枠４３と、縦骨４５とを枠組みして構成される窓枠内に、新設障子５を開閉可能に取り付けることで構成される。
新設障子５は、樹脂製の上框５１、下框５２、左右の縦框５３、５４とを枠組みして構成される新設框と、この新設框内に組み込まれたトリプルガラス５７からなる面材とで構成されている。トリプルガラス５７は、各框５１，５２，５３，５４と、これらに取り付けられた押縁５６とで保持されている。
新設窓は、新設枠４や、新設障子５の框５１，５２，５３，５４が樹脂製（合成樹脂製）であり、面材はトリプルガラス４７，５７で構成されているので、断熱性能の高い窓とされている。なお、本実施形態の各框５１，５２，５３，５４は、同一断面の樹脂製の押出形材で構成され、複数の中空部を備えて断熱性能を向上させている。
【００２７】
［新設枠］
新設上枠４１、新設下枠４２、新設縦枠４３、４４は、樹脂製の押出形材で構成されている。したがって、本実施形態では、新設枠４全体が断熱部材（樹脂部材）で構成されている。本実施形態では、各枠４１，４２，４３，４４は、同一断面形状の押出形材であるが、各枠の形状は窓の種類に応じて設定され、必ずしも同一断面形状のものに限らない。
また、各枠４１，４２，４３，４４は、見込み方向に沿って屋外側から屋内側に並んだ第１〜４中空部を備えており、枠自体の断熱性および剛性を向上させている。
第１中空部の屋外端面は、新設外装材３０の屋外面とほぼ同一平面上に配置されている。第２中空部は、第１中空部よりも見付け寸法が大きくされ、第１中空部よりも内周側に突出している。第２中空部の内周面には押縁４６が装着可能な係合溝が形成されている。
第３中空部は、第２中空部と同程度の見付け寸法であり、見込み寸法は既設枠２と同程度の寸法とされている。新設上枠４１、新設下枠４２の第３中空部には、新設障子５を開閉するためのすべり出しアームの固定用の金属プレートが配置されている。
第４中空部は、第３中空部と同程度の見付け寸法である。第４中空部の内周側には、ＦＩＸ窓のトリプルガラス４７の保持片や、新設障子５の戸当り部となる突出部４１Ａ，４２Ａ，４３Ａ，４４Ａが設けられている。
なお、縦骨４５は、各枠４１，４２，４３，４４の第２中空部から第４中空部に対応する３つの中空部（第２〜４中空部）を備えている。縦骨４５の第２中空部には押縁４６の係合溝が形成され、第３中空部には錠受け等の部品が取り付けられる金属プレート（チャンネル材）が配置され、第４中空部には左右方向に突出した２つの突出部４５Ａが形成されている。
【００２８】
新設上枠４１、新設下枠４２、新設縦枠４３、４４の外周面は、フラットな平面形状とされ、既設枠２の釘ヒレ２１Ａ，２２Ａ，２３Ａ，２４Ａに相当するヒレ部は設けられていない。
各枠４１，４２，４３，４４の屋内側端部には、屋内側に突出された取付片４１１、４２１、４３１、４４１が形成され、取付片４１１，４２１，４３１，４４１は、ネジ１５によって躯体１０に取り付けられている。したがって、ネジ１５は、新設枠４の見込み方向に対して直交する方向（各枠４１，４２，４３，４４の見付け方向）にねじ込まれている。
このように新設枠４は、釘ヒレが無く、ネジ１５を見付け方向にねじ込むことで躯体１０に取り付けられるため、屋内外方向（見込み方向）の位置を調整可能に躯体１０に取り付けることができる。本実施形態では、新設枠４の屋外面（第１中空部の端面）が、新設外装材３０の屋外面に略揃うように、新設枠４の位置が調整されている。
【００２９】
さらに、新設外装材３０の屋外面から既設枠２の屋内側端縁までの見込み方法の長さ寸法は、新設外装材３０の屋外面から新設枠４の屋内側端縁までの見込み方法の長さ寸法よりも小さくなるように設定されている。このため、新設枠４は、既設枠２の内周面を覆っている。
なお、本実施形態では、新設外装材３０の屋外面は、新設枠４の屋外面と、同じ見込み方向の位置であるため、新設枠４（新設上枠４１、新設下枠４２、新設縦枠４３、４４）の見込み方向の長さ寸法も同じ寸法である。
新設枠４の見込み方向の寸法は、各取付片４１１，４２１，４３１，４４１が既設枠２よりも屋内側に位置するように設定されている。このため、取付片４１１，４２１，４３１，４４１からねじ込まれるネジ１５は、既設枠２よりも屋内側の位置で、既設額縁２６等を介して躯体１０にねじ込まれている。
【００３０】
新設枠４の屋内側には、図１，２に示すように、木製の新設額縁３６が既設額縁２６に沿って配置されている。新設額縁３６と内装材２７との間には、新設カバー材３８が掛け渡されている。新設カバー材３８は、既設額縁２６が屋内側に露出しないようにカバーしている。
【００３１】
［水切材］
図１，３に示すように、新設上枠４１の外周面（上面）には、アルミ押出形材などで構成された水切材６０が取り付けられている。このため、新設外装材３０、新設断熱材３１、胴縁３２の下端面と、新設上枠４１との間には、水切材６０を配置するためのスペースが確保されている。
水切材６０は、図３に示すように、新設上枠４１にネジやリベット等で固定される固定部６１と、固定部６１から上方に延出された立ち上がり部６２と、立ち上がり部６２の上端から新設上枠４１の屋外側まで延出され、屋外方向に向かうにしたがって下方に傾斜されて下り勾配が設定された傾斜部６３と、傾斜部６３の先端から下方に延出された水切部６４とを備えている。
【００３２】
新設上枠４１と水切部６４との間には、乾式シーリング材６５が取り付けられている。
傾斜部６３と新設外装材３０との間には、バックアップ材６６および湿式シーリング材（屋外側シール材）６７が充填されている。バックアップ材６６および湿式シーリング材６７の一部には、水抜き穴を有する水抜き部品６８が配置されている。
さらに、水切材６０の傾斜部６３と、既設上枠２１や新設断熱材３１との間は、後述する水切用防水シート７５が掛け渡されており、新設外装材３０の裏面側（屋内面側）に浸入した水は、水切用防水シート７５から傾斜部６３上に流れ、水抜き部品６８を介して排水される。
なお、水抜き部品６８を設ける代わりに、湿式シーリング材６７およびバックアップ材６６に水抜き穴となる切欠部を設けて排水できるように構成してもよい。
【００３３】
［新設枠の固定構造］
本実施形態では、新設枠４の高さ寸法を、既設枠２の開口高さ寸法よりも小さく設計し、新設枠４を既設枠２内に容易に配置できるようにしている。このため、新設枠４を既設下枠２２上に設置した際に、新設上枠４１と既設枠２との間には所定の隙間が生じる。そこで、図１，３に示すように、新設上枠４１と、既設枠２との間には、前記隙間寸法に応じた厚さ寸法の調整部材（飼い木）４１５が配置されている。また、既設上枠２１の下面と、既設額縁２６の下面との間には段差があるため、調整部材４１５と既設額縁２６との間にも隙間が生じ、この隙間部分には調整部材４１６が配置されている。
【００３４】
新設下枠４２は、図１に示すように、既設下枠２２と新設断熱材３１との上面に当接するように配置されている。本実施形態の既設下枠２２は、引違い窓用であり、内レールに比べて外レールの位置が低い。このため、既設下枠２２には、新設下枠４２の下面に当接する支持ブラケット２２１が取り付けられている。支持ブラケット２２１は、高さ調整可能なように２つの部品で構成されている。この支持ブラケット２２１は、既設下枠２２の長手方向（既設枠２の左右方向）の全長と同程度の長さ寸法に形成して配置してもよいが、本実施形態では短尺のピース状に形成されて既設下枠２２の複数箇所に取り付けられている。この支持ブラケット２２１が設けられているので、新設下枠４２の荷重を支持でき、新設下枠４２の垂れ下がりも防止できる。
また、既設額縁２６上には、既設下枠２２の上面との段差を無くすための調整部材４２６が配置されている。
新設下枠４２の屋外端部は新設外装材３０の位置まで延設されており、新設下枠４２と新設外装材３０との間には、バックアップ材６６および湿式シーリング材６７が充填されている。
【００３５】
新設縦枠４３、４４は、図２に示すように、既設縦枠２３、２４の内周側に配置されている。新設縦枠４３、４４と、既設額縁２６との間にも、板状の調整部材４３５、４４５が配置されている。これにより、新設枠４の左右方向の幅寸法を、既設縦枠２３、２４間の寸法よりも小さくして、調整部材４３５、４４５で調整することで、新設枠４は、幅方向においても既設枠２内に容易に配置できる。
新設縦枠４３、４４の外周面（側面）は、前記調整部材４３５、４４５と、新設断熱材３１とに当接されている。一方、新設外装材３０、胴縁３２は、新設縦枠４３、４４の外周面から離れて配置されている。新設縦枠４３、４４と新設外装材３０との間には、バックアップ材６６および湿式シーリング材６７が充填されている。
【００３６】
［防水構造］
次に、本実施形態における防水構造について、図１〜３に基づいて説明する。本実施形態では、外壁用の防水シート７１と、既設枠２および新設枠４間を空気が流通しないように封鎖する気密防水シート７２と、水切材６０に水を案内する水切用防水シート７５との３種類の防水シートを設けている。
なお、防水シートとしては、水は通過させないが水蒸気などの湿気は通過させる透湿防水シートと、水・水蒸気・空気を通過させない気密防水シート（防湿気密シートや気密シートともいう）とがあり、前記防水シートに求められる機能によって種類が選択される。本実施形態では、新設外装材３０と、新設断熱材３１との間に、胴縁３２を設けて通気層を形成しており、既設外壁１の湿気（水蒸気）を、新設断熱材３１および通気層を介して外部に逃がすことができるように、防水シート７１は透湿防水シートを用いている。また、気密防水シート７２および水切用防水シート７５は、気密防水シートを用いている。
なお、図１，２では、各防水シート同士を区別しやすいように、防水シート７１を破線で示し、気密防水シート７２および水切用防水シート７５を太い実線で示している。
また、各防水シート７１，７２，７５は、一般的な防水シートと同様に、可撓性を有しており、既設枠２等に沿って折り曲げることができるように構成されている。
【００３７】
［外壁用の防水シート］
外壁部分において、既設外壁１の裏面側には既設の防水シートなどが設けられている。ただし、この既設の防水シートは劣化している可能性もある。このため、改装時には、新設の防水シート７１を装着して建物の外壁における防水構造を構成している。すなわち、既設外壁１と新設断熱材３１との間には、防水シート７１が接着されている。この防水シート７１によって、新設外装材３０の裏面側に設けられる防水層が構成される。
図１に示すように、既設上枠２１と新設断熱材３１との間に配置される防水シート７１の端部は、後述するように、気密防水シート７２、水切用防水シート７５の屋外側に重なって配置されている。また、既設下枠２２と新設断熱材３１との間に配置される防水シート７１の端部は、気密防水シート７２の屋内側に重なって配置されている。すなわち、上下方向に連続する防水シートの連続部分では、上側の防水シートが下側の防水シートの屋外側に重なり、水が流れ落ちた際に、防水シートの屋外面側を流れるようにしている。
また、図２に示すように、既設縦枠２３、２４と新設断熱材３１との間に配置される防水シート７１の端部は、気密防水シート７２の屋外側に重なって配置されている。これらの各防水シート７１，７２，７５の重なり部分は、両面テープなどで互いに接着されている。
【００３８】
［密閉用の防水シート］
既設枠２と、新設枠４との間には、気密防水シート７２が設けられている。気密防水シート７２は、貫通孔等から浸入しようとする水を高分子吸収体が水を吸って膨潤し、貫通孔をふさぐ機能を備えており、例えば、スリーエムジャパン株式会社製の止水機能付き外壁防水シート2407等が利用できる。
既設枠２および新設枠４間をつなぐ気密防水シート７２は、既設枠２の四周内周面に沿って配置され、既設枠２および新設枠４間において屋内外方向に空気が流通しないように密閉している。
すなわち、気密防水シート７２は、図１、３に示すように、既設上枠２１および新設上枠４１間では、既設上枠２１の屋外面に両面テープなどで貼り付けられ、既設上枠２１および調整部材４１６の内周面（下面）に沿って屋内側に折り込まれている。気密防水シート７２の屋内側端部は、調整部材４１５および取付片４１１の屋内面に沿って折り曲げられ、さらに取付片４１１の内周面に沿って屋外側に折り返され、取付片４１１に両面テープなどで貼り付けられている。
【００３９】
気密防水シート７２は、図１に示すように、既設下枠２２および新設下枠４２間では、既設下枠２２の屋外面に貼られた防水シート７１の屋外面に両面テープなどで貼り付けられ、支持ブラケット２２１、既設下枠２２および調整部材４２６の上面に沿って配置されている。気密防水シート７２の屋内側端部は、取付片４２１の屋外面に沿って折り曲げられ、さらに取付片４２１の内周面に沿って屋外側に折り返され、取付片４２１に両面テープなどで貼り付けられている。
【００４０】
気密防水シート７２は、図２に示すように、既設縦枠２３、２４および新設縦枠４３、４４間では、既設縦枠２３、２４の屋外面に両面テープなどで貼り付けられ、既設縦枠２３、２４および既設額縁２６の内面に沿って配置されている。気密防水シート７２の屋内側端部は、調整部材４３５、４４５の屋外面に沿って折り曲げられ、さらに取付片４３１、４４１の内周面まで折り返され、取付片４３１、４４１に両面テープなどで貼り付けられている。
気密防水シート７２の屋内側端縁は、新設枠４の取付片４１１，４２１，４３１，４４１の内周面に沿って配置される新設額縁３６により、屋内側に露出しないように隠されている。
【００４１】
［水切用の防水シート］
図１，３に示すように、既設上枠２１から水切材６０まで、水切用防水シート７５が設けられている。水切用防水シート７５は、気密防水シート７２と同じく気密性を有するシートである。水切用防水シート７５の屋内側端部は、既設上枠２１の屋外面に貼られた気密防水シート７２の表面（屋外面）に両面テープなどで貼られている。なお、新設断熱材３１および既設外壁１間に配置された前記防水シート７１の端部は、既設上枠２１の屋外面と新設断熱材３１との間において、水切用防水シート７５の表面（屋外面）に両面テープなどで貼られている。すなわち、既設上枠２１の屋外面と新設断熱材３１との間には、屋内側から気密防水シート７２、水切用防水シート７５、防水シート７１が積層されている。
【００４２】
水切用防水シート７５の屋外側端部は、水切用防水シート７５の屋内側端部よりも低い位置で、水切材６０の傾斜部６３の表面に両面テープなどで貼られている。このため、水切用防水シート７５は、屋内側端部で防水シート７１に連続して設けられ、この屋内型端部から屋外側端部に向かって、水切用防水シート７５の表面が下り勾配となるように設けられている。
したがって、新設断熱材３１および既設外壁１間に浸入した雨水は、防水シート７１に沿って流れ、水切用防水シート７５から水切材６０の傾斜部６３上に流れ、水抜き部品６８から屋外側に排水される。
【００４３】
［断熱構造］
次に、本実施形態における断熱構造について説明する。
既設外壁１と新設外装材３０との間には、断熱層８０が形成されている。断熱層８０は、主に新設断熱材３１で構成され、新設上枠４１と新設断熱材３１との間は、気密防水シート７２および水切用防水シート７５で区画される空気層８１によって構成されている。
空気層８１は、気密防水シート７２および水切用防水シート７５、水切材６０、新設上枠４１で囲まれた空間であり、空気の対流が生じない小さな容積とされている。このため、空気層８１も断熱層８０として機能する。
また、新設下枠４２、新設縦枠４３、４４には、新設断熱材３１が当接されている。このため、外壁部分には、新設枠４に連続する断熱層８０が、新設断熱材３１および空気層８１によって構成されている。
断熱層８０（新設断熱材３１および空気層８１）は、既設枠２の屋外面を覆っており、既設枠２の屋外側に断熱ラインが構成されているので、新設外装材３０から既設枠２に伝わる熱流量を低減でき、外気温が低い場合でも、アルミ押出形材からなる既設枠２の温度が低下して結露が生じることを抑制できる。
【００４４】
新設窓においては、樹脂製の新設枠４と、樹脂製の框５１，５２，５３，５４と、トリプルガラス４７、５７を用いることで断熱性能を確保している。特に、新設窓において、屋外の空気に触れる面積が最も大きい面材においては、トリプルガラス４７，５７を採用することで断熱性能を高めており、このトリプルガラス４７、５７に沿って屋内外の熱流量を低減させる断熱ラインが構成される。
また、新設枠４および各框５１，５２，５３，５４においても、樹脂製とし、さらに見付け方向に並んだ複数の中空部を備えることで、断熱性能を向上させている。
【００４５】
ここで、新設窓が配置される開口部分において、トリプルガラス４７、５７の少なくとも１枚のガラスは、新設断熱材３１同士を結ぶ断熱ライン内に配置されている。
ＦＩＸ窓のトリプルガラス４７において、最も屋外側に配置されたガラスは、見込み方向において前記断熱層８０と重なる位置に配置されている。
縦すべり出し窓の新設障子５のトリプルガラス５７において、最も屋外側に配置されたガラスと、中間に配置されたガラスとは、見込み方向において前記断熱層８０と重なる位置に配置されている。
したがって、新設窓に設けられた面材であるトリプルガラス４７、５７の少なくとも１枚のガラスは、前記断熱ラインに掛かる（重なる）位置、つまり見込み方向において前記断熱層８０と重なる位置に配置されている。
このため、断熱層８０と、新設枠４と、新設枠４内に配置された新設障子５（框５１〜５４とトリプルガラス５７）およびトリプルガラス４７とで、外壁面に沿って断熱ラインが形成されている。
【００４６】
新設枠４は、既設枠２の内周面を覆うように配置されている。このため、既設枠２の内周面は断熱性能の高い樹脂製（断熱部材製）の新設枠４で覆われる。したがって、既設枠２の屋外面および内周面は、断熱層８０と、この断熱層８０に連続して設けられた新設枠４とで覆われて外気に触れることがないため、新設枠４から既設枠２に伝わる熱流量も低減でき、外気温が低い場合でも、アルミ押出形材からなる既設枠２の温度が低下して結露が生じることを抑制できる。
【００４７】
［改装工法］
次に、本実施形態の外壁改装構造の施工方法について説明する。
まず、既設建具の障子（不図示）を既設枠２から取り外す。また、調整部材４１６、４２６を先付けし、既設上枠２１、既設下枠２２と、既設額縁２６との段差を無くしておく。
そして、既設枠２の屋外面に気密防水シート７２を貼り付けて、建物開口部の周囲において、気密防水シート（気密シート）７２の屋外側端部の貼り付け工程を行う。なお、既設下枠２２部分は、防水シート７１が先に貼り付けられているので、防水シート７１の表面に気密防水シート７２の屋外側端部を貼り付ける。
気密防水シート７２は、帯状（テープ状）に形成されたものが利用でき、このテープ状の気密防水シート７２の長手方向の２辺のうちの一辺（屋外側端部）を、各枠２１，２２，２３，２４の屋外面に沿って粘着テープなどで貼り付ける。例えば、既設上枠２１の左右方向の中央部から気密防水シート７２の貼り付けを開始し、既設上枠２１から既設縦枠２３、既設下枠２２、既設縦枠２４に順次気密防水シート７２を貼り付け、既設上枠２１の貼付開始位置に重なる位置まで気密防水シート７２を貼り付ける。この気密防水シート７２は、後述するように、防水シート７１つまり防水層に連続する防水シートである。
なお、既設枠２のコーナー部で気密防水シート７２の貼付方向を９０度変化させる場合は、気密防水シート７２の外周側に切り込みを入れて方向を変化させればよい。この気密防水シート７２の切り込み部分は、別の防水テープを重ねて貼り付けて塞いでおく。
【００４８】
次に、気密防水シート７２の他の一辺側を、各枠２１，２２，２３，２４の内周面に沿って屋内側に折り込み、気密防水シート（気密シート）７２を建物開口部の内周面に沿って配置する工程を行う。
【００４９】
なお、気密防水シート７２は、テープ状のものに限らず、既設枠２とほぼ同じ大きさの１枚のシートでも構成できる。この場合は、気密防水シート７２の四周縁部を既設枠２の屋外面に貼り付けた後、気密防水シート７２の既設枠２の開口部分に切り込みを入れ、既設枠２に沿って屋内側に折り込む。切り込みは、例えば、既設枠２の開口の四隅、つまり既設上枠２１および既設下枠２２と、既設縦枠２３、２４とが接合されたコーナー部分から、斜め４５度の角度で切り込み、２つのコーナー部からの切り込み線が交差する点同士を結ぶ線で切り込むことで、２つの三角形と、２つの台形の折り込み部分が形成されるように設定すればよい。また、気密防水シート７２の折り込み部分同士の間は、コーナー用のシート材を貼り付けて塞いでおく。
【００５０】
次に、建物開口部内に新設枠４を配置する工程を行う。この際、新設枠４は釘ヒレが無いため、見込み方向の位置調整が可能である。このため、新設外装材３０、胴縁３２、新設断熱材３１の見込み寸法（厚さ寸法）に応じて、新設枠４の見込み方向の取付位置を調整すればよい。例えば、新設枠４の屋外端面が、新設外装材３０の屋外面にほぼ揃う位置に配置する。
【００５１】
次に、気密防水シート７２の屋内側端部を、新設枠４の屋内側の部位である取付片４１１，４２１，４３１，４４１側に折返し、取付片４１１，４２１，４３１，４４１の内周面に防水性を有する両面テープなどを用いて貼り付ける工程を行う。なお、気密防水シート７２の余った部分はカッターなどで切り取ればよい。
【００５２】
次に、新設枠４をネジ１５で躯体１０に取り付ける。ネジ１５は、気密防水シート７２に穴をあけるが、気密防水シート７２は膨潤性を有するため、水が浸入した場合は、気密防水シート７２が水を吸って膨らみ、ネジ１５で形成された穴を塞ぐため、気密防水シート７２から屋内側への水の浸入を防止できる。
【００５３】
次に、既設上枠２１の屋外面に貼られた気密防水シート７２の表面と、新設上枠４１に予め取り付けられた水切材６０の傾斜部６３との間に、水切用防水シート７５を貼り付ける。また、既設外壁１の表面に貼った防水シート７１を水切用防水シート７５の表面に貼り付ける。さらに、水切用防水シート７５が設けられていない既設縦枠２３、２４部分などでは、防水シート７１を気密防水シート７２に貼り付ける。これにより、気密防水シート７２は、防水シート７１で構成される防水層に連続して設けられる。
【００５４】
また、既設外壁１の屋外面に沿って新設断熱材３１を配置し、胴縁３２を介して新設外装材３０を取り付ける。さらに、新設枠４と新設外装材３０との間に、バックアップ材６６および湿式シーリング材６７を充填する。
以上によって、外壁および窓の改装作業が終了する。
【００５５】
なお、新設外装材３０および新設枠４を設置して改装した後に、窓の種類を変更するため、あるいは、窓が破損、劣化したために新設窓を更に交換する場合は、新設外装材３０、新設断熱材３１等を残したまま、新設枠４および新設障子５を取り外して交換することができる。
この場合、新設カバー材３８、新設額縁３６を取り外し、新設枠４および気密防水シート７２の屋内側を露出させる。そして、気密防水シート７２の屋内露出部分をカッターなどで切断し、気密防水シート７２の内周面や、調整部材４１６、４２６、既設額縁２６等に沿って配置されている部分と、取付片４１１，４２１，４３１，４４１に貼られた部分とを分離する。
また、湿式シーリング材６７、バックアップ材６６も適宜除去しておく。さらに、新設上枠４１と新設断熱材３１との間では、水切用防水シート７５を切断して水切材６０から分離する。そして、新設枠４を躯体１０に固定しているネジ１５を外し、新設枠４を建物開口部から屋外側に取り外す。
その後、建物開口部に残っている気密防水シート７２や水切用防水シート７５に新たな気密防水シートを連結し、新たな新設窓を屋外側から吊り込む。
そして、新設枠４の屋内側では、気密防水シート７２に連結した気密防水シートを取付片４１１，４２１，４３１，４４１の内周面に折り返して貼り付け、新設枠４をネジ１５で躯体１０に取り付け、新設額縁３６や新設カバー材３８を新たに設けて仕上げる。また、新設枠４の屋外側では、水切用防水シート７５に連結した気密防水シートを、新設枠４の水切材６０の傾斜部６３に貼り付け、新設外装材３０との隙間部分にバックアップ材６６、湿式シーリング材６７を充填して仕上げる。
以上の作業によって、新設窓の交換作業を行うことができる。
【００５６】
［第１実施形態の作用効果］
このような第１実施形態によれば、次のような効果がある。
【００５７】
（１）防水層を構成する防水シート７１を、新設断熱材３１の屋外面から既設枠２まで設け、防水シート７１に連続する気密防水シート７２を既設枠２から新設枠４まで配置しているので、新設枠４と新設外装材３０との間をシールする湿式シーリング材６７を一次シールとし、防水シート７１および気密防水シート７２を二次シールとすることができる。これにより、湿式シーリング材６７が破損・劣化した場合でも、防水シート７１および気密防水シート７２により防水ラインを維持でき、屋内側への水の浸入を防止できる。このため、湿式シーリング材６７のみが設けられている場合や、防水シート７１と気密防水シート７２とが連続していない場合に比べて、水密性および気密性を向上できる。
また、防水シート７１に連続する気密防水シート７２は、新設枠４や既設枠２に両面テープなどで貼り付けることができるので、施工作業を容易に行うことができる。
さらに、一次シールとなる湿式シーリング材６７と、二次シールとなる防水シート７１および気密防水シート７２とを設けているので、新設外装材３０と、防水シート７１および気密防水シート７２間とを外気と等圧な空間にでき、圧力差による雨水の浸入を防止でき、水密性および気密性を向上できる。
【００５８】
（２）既設枠２と新設枠４との間を塞ぐ気密防水シート７２を、新設枠４の外周側から新設枠４の屋内側の取付片４１１、４２１、４３１、４４１の内周面に折り返して貼り付けているので、気密防水シート７２を新設枠４の屋内側に連続するように貼り付けることができる。
このため、気密防水シート７２を新設枠４に貼り付ける作業を、新設枠４の内周面側から行うことができ、容易に作業できる。
また、気密防水シート７２が新設枠４の内周側に露出するため、新設枠４の取り付け後に、新設枠４の交換が必要となった場合でも、気密防水シート７２の屋内側に露出する部分を切断することで、気密防水シート７２と新設枠４とを切り離して新設枠４を容易に取り外すことができる。さらに、建物開口部に残っている気密防水シート７２に新たな気密防水シートを連結し、新たに設置した新設枠４の屋内側に貼り付けることで、交換後の新設枠４との防水処理も容易に行うことができ、窓交換時の防水ラインの復旧を容易に行うことができる。
【００５９】
（３）既設外壁１の屋外側に防水シート７１を配置して防水層を形成し、この防水シートの屋外側に新設外装材３０を配置し、既設枠２の開口内周側に新設枠４を配置し、防水シート７１に連続する気密防水シート７２を新設枠４に貼り付けているので、外壁、窓および防水ラインの改装を容易に行うことができる。
また、気密防水シート７２は可撓性を有しており、屈曲させることができるので、様々な形状の新設枠４に合わせて気密防水シート７２を配置でき、さらに新設枠４の屋内側では気密防水シート７２を新設枠４の内周面側に折り曲げて貼り付けることができる。このため、防水層から新設枠４までの水密性・気密性を容易に確保できる。
さらに、気密防水シート７２は、水により膨潤する特性を有するため、気密防水シート７２を介してネジ１５をねじ込むことで形成された穴や、気密防水シート７２が損傷した場合の損傷部分に、水が浸入した場合でも、気密防水シート７２が膨潤することにより、水が気密防水シート７２を超えて新設枠４の屋内側に浸入することを抑制でき、より高い防水性能を備えることができる。
【００６０】
（４）新設外装材３０の屋内面側に設けた防水シート７１に連続する気密防水シート７２を、建物開口部の周囲（既設枠２の屋外面）と、新設枠４の屋内側の部位（取付片４１１，４２１，４３１，４４１）とに貼り付けることで、防水シート７１から新設枠４まで防水ラインを容易に構成でき、水密性・気密性を容易に確保できる。また、防水シート７１を設け、新設枠４を配置し、気密防水シート７２を新設枠４に貼り付けて、防水シート７１から新設枠４までの防水ラインを形成するまでの間に、湿式のシーリング材を用いていないので、現場での施工時間を短くすることができる。
【００６１】
（５）既設外壁１の屋外側に新設外装材３０を配置し、新設外装材３０および既設外壁１間に新設断熱材３１を設けたので、外壁部分の断熱性能を向上できる。また、既設枠２の開口内周側に配置された新設枠４を樹脂製としているので、新設枠４自体の断熱性能も向上できる。
さらに、既設枠２を、新設断熱材３１や空気層８１で構成される断熱層８０と、新設枠４とで被覆し、既設枠２が屋外に露出しないように覆っているので、既設枠２を介した熱流出を低減できる。
したがって、断熱層８０による外壁部分の熱流量の低減と、新設窓による壁開口部分の熱流量の低減とに加えて、壁と窓との連結部分の熱流量も低減でき、外壁全体の断熱性能を向上できる。このため、既設枠２や躯体１０側の温度低下を抑制でき、結露発生も防止できる。
【００６２】
（６）新設枠４内に配置される新設障子５と、嵌め殺し窓の面材を、トリプルガラス４７、５７で構成しているので、面材部分の断熱性能を向上できる。さらに、新設障子５では、各框５１，５２，５３，５４を樹脂製としているので、框自体の断熱性能も向上でき、既設枠２内に配置される新設窓全体の断熱性能を向上できる。
【００６３】
（７）トリプルガラス４７，５７のうち、少なくとも１枚のガラスを、見込み方向において断熱層８０に重なる位置に配置したので、断熱層８０で構成される断熱ラインの延長線上に、トリプルガラス４７，５７によって構成される面材の断熱ラインを配置できる。このため、新設断熱材３１、空気層８１を有する断熱層８０から新設枠４、新設障子５等に形成される断熱ラインを外壁面とほぼ平行に配置できる。
したがって、断熱ラインが外壁面に対して斜めに設定された場合に比べて、既設枠２を介した熱流量を低減でき、既設枠２の周囲の壁体内での結露の発生も抑制できる。
【００６４】
（８）新設枠４の屋外側端部を、新設外装材３０の屋外面よりも屋外側に位置しているので、新設枠４と新設外装材３０とを対向させて配置でき、これらの間にバックアップ材６６、湿式シーリング材６７を充填してシールすることができる。このため、新設枠４を、新設外装材３０の見切り材として利用でき、一般的な納まり構造にできる。
また、新設外装材３０が設けられていない場合は、新設枠４と既設枠２とを繋ぐジョイント部材を設けて、新設枠４および既設枠２間の隙間を塞ぐ必要があるが、本実施形態では新設枠４および新設外装材３０間で通常のシール処理を行うことができ、新設枠４および既設枠２間を繋ぐジョイント部材は不要なため、納まりを簡略化できる。
【００６５】
（９）新設外装材３０の屋外面から既設枠２の屋内端部までの見込み寸法を、新設外装材３０の屋外面から新設枠４の屋内端部までの見込み寸法よりも小さくしたので、既設枠２の内周面の全体を新設枠４で覆うことができ、断熱性能および意匠性を向上できる。
【００６６】
（10）新設枠４の外周面を見込み方向に沿った平面で形成したので、新設外装材３０や新設断熱材３１の厚さ寸法に応じて、新設枠４の屋内外方向の位置を自由に設定できる。したがって、新設外装材３０等の厚さ寸法が異なる場合でも、同一種類の新設枠４を用いることができ、新設枠４の種類を少なくできる。
また、新設枠４の屋内側端部から屋内方向に向かって突出された取付片４１１，４２１，４３１，４４１から躯体１０にネジ１５をねじ込んで新設枠４を固定しているので、開口内周側から新設枠４の取付作業を行うことができ、改装作業を容易に行うことができる。
【００６７】
（11）水切材６０は、新設上枠４１に取り付けられており、従来のように外壁下地材、胴縁、躯体等に取り付けられていないため、金属製の水切材６０と躯体１０側とが直接接触することがなく、水切材６０を介しての熱流量を低減でき、この点でも断熱性能を向上できる。特に、水切材６０の屋内側は、密閉された空気層８１で構成した断熱層８０であり、水切用防水シート７５も断熱性を有するため、水切材６０から既設上枠２１等への熱橋となる部材が設けられておらず、水切材６０から既設上枠２１への熱流量を低減できる。
【００６８】
（12）水切材を外壁側に取り付けた場合には、新設外装材３０等の厚さ寸法に応じて複数種類の水切材を用意する必要があるが、本実施形態では、水切材６０は、新設上枠４１に取り付けられているので、新設上枠４１の屋外面を基準にして取り付けることができる。このため、新設外装材３０等の厚さ寸法が変わっても、水切材６０の種類は一種類にすることができる。
さらに、防水シート７１と水切材６０とは水切用防水シート７５で繋いでいるので、新設外装材３０の厚さ寸法が変化して、防水シート７１と水切材６０との間隔が変化しても、水切用防水シート７５の長さ寸法等で容易に調整できる。
【００６９】
［第２実施形態］
次に、本発明の第２実施形態を図４に基づいて説明する。なお、第２実施形態は、改装用ではなく新築用の建物開口部の上部排水構造であり、既設外壁１や既設枠２が設けられていない点が第１実施形態と相違するが、その他の構成は第１実施形態と同じであるため、対応する構成には同一符号を付し説明を省略する。
【００７０】
第２実施形態の躯体１０の屋外側には、新設断熱材３１、胴縁３２、新設外装材３０が配置されている。また、躯体１０で囲まれた開口部には、新設枠４がネジ１５で固定され、新設枠４内には新設障子５が開閉可能に設けられている。
【００７１】
新設断熱材３１の屋内側に位置する躯体１０の表面には、気密防水シート７３が貼られている。気密防水シート７３の開口側端縁は、躯体１０の内周面に沿って屋内側に折り込まれ、調整部材４１５や取付片４１１の屋内面に沿って折り曲げられ、さらに取付片４１１の内周面に両面テープなどで貼り付けられている。
第２実施形態では、新設外装材３０の屋内側に配置されて防水層を構成する防水シートと、防水層から新設枠４までを塞ぐ気密防水シートとを一体の気密防水シート７３で構成している。すなわち、防水層を構成する気密防水シート７３の一部を、防水層から新設枠４までを塞ぐ気密防水シートとして利用している。このため、気密防水シート７３によって、新設外装材３０の屋内側から新設枠４まで連続する防水ラインが構成される。
【００７２】
また、気密防水シート７３から水切材６０まで、第１実施形態と同様に水切用防水シート７５が設けられている。
水切用防水シート７５の屋内側端部は、新設断熱材３１の裏面側において、前記気密防水シート７３の表面（屋外面）に両面テープなどで貼り付けられ、気密防水シート７３に連続して設けられている。
水切用防水シート７５の屋外側端部は、水切用防水シート７５の屋内側端部よりも低い位置で、水切材６０の傾斜部６３の表面に両面テープなどで貼られている。このため、水切用防水シート７５は、屋内側端部で気密防水シート７３に連続して設けられ、この屋内型端部から屋外側端部に向かって、水切用防水シート７５の表面が下り勾配となるように設けられている。
したがって、新設断熱材３１および躯体１０間に浸入した雨水は、気密防水シート７３に沿って流れ、水切用防水シート７５から水切材６０の傾斜部６３上に流れ、水抜き部品６８から屋外側に排水される。
また、第１実施形態と同じく、水切用防水シート７５および気密防水シート７３で空気層８１が区画され、新設断熱材３１とともに断熱層８０を構成している。
【００７３】
［第２実施形態の作用効果］
第２実施形態では、防水層となる気密防水シート７３を新設枠４に貼り付けて防水ラインを構成しているので、前記第１実施形態と同様の作用効果を奏することができる。
【００７４】
［第３実施形態］
次に、本発明の第３実施形態を図５に基づいて説明する。なお、第３実施形態は、新築用の建物開口部の防水構造である点で第２実施形態と同じであるが、新設断熱材は設けられておらず、また、水切材６０の代わりに樋状の排水用部材９０を取り付けた点が相違する。なお、第１，２実施形態と対応する構成には同一符号を付し説明を省略する。
【００７５】
第３実施形態は、躯体１０の屋外側には胴縁３２、新設外装材３０が配置されている。また、躯体１０で囲まれた開口部には、新設枠４がネジ１５で固定され、新設枠４内には新設障子５が開閉可能に設けられている。
【００７６】
新設外装材３０の屋内側に位置する躯体１０や図示略の下地材の表面には、気密防水シート７３が貼られている。気密防水シート７３の開口側端縁は、躯体１０の内周面に沿って屋内側に折り込まれ、調整部材４１５や取付片４１１の屋内面に沿って折り曲げられ、さらに取付片４１１の内周面に両面テープなどで貼り付けられている。
【００７７】
躯体１０の屋外面に貼られた気密防水シート７３には、排水用部材９０が取り付けられている。排水用部材９０は、屋内壁部９１と、屋外壁部９２と、屋内壁部９１および屋外壁部９２間を連結する底面部９３とを備える。
屋内壁部９１は、ネジ１６により、気密防水シート７３および躯体１０に固定されている。また、気密防水シート７３および屋内壁部９１に跨がって防水テープ９６が貼られている。
【００７８】
新設外装材３０と新設上枠４１との間は、湿式シーリング材６７が充填されている。この際、湿式シーリング材６７が、新設外装材３０、新設上枠４１だけでなく、排水用部材９０にも接着すると三面接着となり耐久性が低下する。このため、屋外壁部９２の屋外面には、湿式シーリング材６７の接着を防止するボンドブレーカーテープ９５が貼られている。
【００７９】
新設外装材３０および気密防水シート７３間に浸入した水は、気密防水シート７３から防水テープ９６を介して排水用部材９０に流れ、排水用部材９０の両端部等から新設枠４の外周側に設けられる排水通路などを介して屋外に排出される。
【００８０】
［第３実施形態の作用効果］
第３実施形態によれば、防水層から新設枠４まで連続する気密防水シート７３によって防水ラインが構成されるため、前記第１，２実施形態と同様の作用効果を奏することができる。
また、新設枠４を交換する場合に、気密防水シート７３や排水用部材９０は壁側に残しておくことができるので、交換作業を容易に行うことができる。
【００８１】
［変形例］
なお、本発明は以上の実施形態で説明した構成のものに限定されず、本発明の目的を達成できる範囲での変形例は、本発明に含まれる。
【００８２】
前記第１実施形態では、防水層を構成する防水シート７１と、気密防水シート７２とを別体の防水シートで構成していたが、第２，３実施形態と同様に、既設外壁１の屋外面から新設枠４まで、一体の気密防水シート７３を配置してもよい。同様に、前記第２，３実施形態では、第１実施形態と同様に、躯体１０の屋外面に貼られて防水層を形成する防水シート７１と、防水層から新設枠４まで貼られる防水シート７１とは別体の気密防水シート７２とを配置してもよい。
【００８３】
気密防水シート７２、７３は、新設枠４の屋内端縁を介して内周側に折り返して新設枠４に貼られていたが、新設枠４の外周面に貼り付けてもよい。
新設枠４は、樹脂製に限定されず、木製でもよく、アルミ製および樹脂製の複合枠でもよく、さらには一般的なアルミ枠でもよく、新設枠４に求められる断熱性能に応じて選択すればよい。
【００８４】
前記実施形態では、新設枠４の外周面を平面としていたが、釘ヒレが突設された構造としてもよい。この場合、既設枠２に釘ヒレを当接させて位置決めできる場合は、釘ヒレを残したままで新設枠４を取り付けることができるが、釘ヒレによって位置決めできない場合は、施工現場で釘ヒレを切断する必要がある。したがって、前記各実施形態のように、新設枠４の外周面を平面としたほうが、施工作業が容易になる利点がある。
【００８５】
新設外装材３０の屋外面から新設枠４の屋内側端部までの長さ寸法を、新設外装材３０の屋外面から既設枠２の屋内側端部までの長さ寸法よりも小さく設定してもよい。この場合、既設枠２の屋内端部は新設枠４で覆うことができないため、新設額縁３６等で覆えば良い。
【００８６】
新設窓の面材としては、トリプルガラス４７、５７に限定されず、複層ガラス（二重ガラス）でもよく、一般的な単板ガラスでもよく、これらも新設窓に求められる断熱性能に応じて選択すればよい。
【００８７】
新設窓としては、前述した縦すべり出し窓とＦＩＸ窓との連窓に限定されず、引違い窓、片上げ下げ窓、ＦＩＸ窓、縦すべり出し窓、すべり出し窓等の単窓や、これらを組み合わせた連窓、段窓などでもよい。すなわち、新設窓は、新設枠４も改装するため、様々な種類の窓を適用できる。
【符号の説明】
【００８８】
１…既設外壁、２…既設枠、３…新設外壁、４…新設枠、５…新設障子、１０…躯体、１５…ネジ、３０…新設外装材、６７…屋外側シール材である湿式シーリング材、７１…防水層である防水シート、７２…気密防水シート、７３…防水層を兼用する気密防水シート、７５…水切用防水シート、４１１、４２１、４３１、４４１…取付片。
【図１】
2018031186.tif 000003
【図２】
2018031186.tif 000004
【図３】
2018031186.tif 000005
【図４】
2018031186.tif 000006
【図５】
2018031186.tif 000007